(57)【要約】  液体電子写真（ＬＥＰ）印刷装置が、液状印刷流体を受け取る光イメージングプレート（ＰＩＰ）と、この液状印刷流体が樹脂中に取り込まれた顔料、電荷コンダクタ、およびキャリア液体を含むことと、そして液状印刷流体をＰＩＰから布地へと湿潤状態で転写する転写ローラーとを含んでいる。
2020529043.tif 000002
【特許請求の範囲】
【請求項１】
液体電子写真（ＬＥＰ）印刷装置であって：
液状印刷流体を受け取る光イメージングプレート（ＰＩＰ）と、この液状印刷流体が；
樹脂中に取り込まれた顔料、
電荷コンダクタ、および
キャリア液体を含むことと、そして
液状印刷流体をＰＩＰから布地基材へと湿潤状態で転写する転写ローラーとを含む、ＬＥＰ印刷装置。
【請求項２】
キャリア液体の蒸発を防止するため、転写ローラーは７０℃から９５℃の温度に加熱される、請求項１のＬＥＰ印刷装置。
【請求項３】
キャリア液体はイソパラフィン系炭化水素であり、そしてイソパラフィン系炭化水素の一部は印刷流体を布地上へと転写する間に蒸発しない、請求項１のＬＥＰ印刷装置。
【請求項４】
転写ローラーおよび温度コントローラーと関連付けられた加熱装置をさらに含み、ここで温度コントローラーは、紙製印刷基材が印刷されるかまたは布地基材が印刷されるかに基づいて、転写ローラーの温度を少なくとも２つの異なる温度へと調節する、請求項１のＬＥＰ印刷装置。
【請求項５】
転写ローラーの下流側にアキュムレータをさらに含む、請求項１のＬＥＰ印刷装置。
【請求項６】
アキュムレータは布地基材上の湿潤液状印刷流体を乾燥させるための電磁熱源を含む、請求項５のＬＥＰ印刷装置。
【請求項７】
布地上に印刷するためのシステムであって：
印刷流体を含有する印刷流体源と、この印刷流体が少なくともキャリア流体を含むことと；そして
光イメージングプレートから所定量の印刷流体を受け取り、キャリア流体がまだ印刷流体中存在している間にその印刷流体を布地へと転写する加熱調節可能な転写ローラーを含む、システム。
【請求項８】
所定量の布地を内部に蓄積する、転写ローラーの下流側のアキュムレータをさらに含み、ここでアキュムレータはさらに、布地を加熱するための熱源を含んでいる、請求項７のシステム。
【請求項９】
印刷流体はさらに、樹脂中に取り込まれた顔料および電荷コンダクタを含む、請求項７のシステム。
【請求項１０】
キャリア液体はイソパラフィン系炭化水素であり、そしてイソパラフィン系炭化水素の一部は印刷流体を布地上へと転写する間に蒸発しない、請求項７のシステム。
【請求項１１】
加熱調節可能な転写ローラーは７０℃から９５℃の温度に加熱される、請求項７のシステム。
【請求項１２】
転写ローラーであって：
加熱装置を含み；
ここで転写ローラーは、所定量の湿潤印刷流体を光イメージングプレート（ＰＩＰ）から受け取り、そしてその湿潤印刷流体を布地へと転写する一方で、印刷流体内のキャリア流体が蒸発することを防止する、転写ローラー。
【請求項１３】
印刷を行う印刷基材の種類に基づいて、加熱装置は転写ローラーを少なくとも２つの異なる温度に加熱する、請求項１２の転写ローラー。
【請求項１４】
印刷媒体が紙である場合、加熱装置は転写ローラーを１００℃から１５０℃の温度に加熱する、請求項１３の転写ローラー。
【請求項１５】
印刷媒体が布地である場合、加熱装置は転写ローラーを７０℃から９５℃の温度に加熱する、請求項１３の転写ローラー。
【発明の詳細な説明】
【背景技術】
【０００１】
液体（湿式）電子写真印刷（ＬＥＰ）装置は、いくつものバイナリインクデベロッパー（２値的インク現像部材）を含んでおり、これらは液体トナーのような印刷流体を、流体アプリケータに提供する。流体アプリケータは、帯電された液体トナーを光導電性部材上の潜像に提供して、流体イメージを形成する。光導電性部材は流体イメージを、イメージ転写部材および／または基材上へと転写する。
【図面の簡単な説明】
【０００２】
添付の図面は、本願に記載された原理の種々の例を説明しており、明細書の一部をなしている。説明された例は単に例示のために与えられたものであり、特許請求の範囲を制限するものではない。
【０００３】
図１は、本願に記載された原理の例に従う、液体電子写真（ＬＥＰ）印刷装置のブロック図である。
【０００４】
図２は、本願に記載された原理の例に従う、布地上に印刷するためのシステムのブロック図である。
【０００５】
図３は、本願に記載された原理の例に従う、転写ローラーのブロック図である。
【０００６】
図４は、本願に記載された原理の例に従う、液体電子写真（ＬＥＰ）印刷装置のダイヤグラムである。
【０００７】
図面を通じて、同一の参照番号は類似した、しかし必ずしも同一ではない要素を指定している。図面は必ずしも縮尺通りではなく、幾つかの部品の大きさは誇張されて、示された例をより明確に説明するようにされていてよい。さらにまた、図面は詳細な説明と矛盾のない例および／または実施態様を提示している；しかしながら、詳細な説明は図面に提示された例および／または実施態様に限定されるものではない。
【発明を実施するための形態】
【０００８】
上述したように、ＬＥＰ印刷装置は、ある量の印刷流体を帯電された光導電性プレートへと転写する、いくつもの印刷流体デベロッパーを実装している。帯電された光導電性プレートは印刷流体を転写ローラーへと転写してよく、転写ローラーは圧胴ローラーの助けを借りて、印刷流体を印刷基材へと転写する。
【０００９】
上記の例における印刷基材は紙である。ＬＥＰの動作の間、転写ローラーは、１００℃から１５０℃の範囲の温度に加熱される。このことは印刷流体からの、イソパラフィン系炭化水素のようなキャリア流体の蒸発を生じさせ、それによって印刷流体は紙の上に塗布またはその他により圧接されることができる。印刷流体のキャリア流体が蒸発されることから、印刷流体は粘稠になり、紙の上へと容易に転写されうる。
【００１０】
しかしながらこのプロセスは、テキスタイル（繊維製品）上に印刷するためには使用できない。むしろ、印刷流体が布地（ファブリック）の上に圧接されると、印刷流体の粘稠さによって、印刷流体がテキスタイルの繊維内へと浸透することは許容されない。テキスタイルの繊維内へと吸収されることなしに、印刷流体はテキスタイルの外側表面上に残存して硬化され、クラック生成、剥離、およびテキスタイルからの印刷流体の剥落をもたらす。
【００１１】
本明細書は、液状印刷流体を受け取る光イメージングプレート（ＰＩＰ）を含む液体電子写真（ＬＥＰ）印刷装置を説明するものであり、液状印刷流体は、樹脂中に取り込まれた顔料、電荷コンダクタ、およびキャリア液体を含み、そして転写ローラーが液状印刷流体をＰＩＰから布地へと、湿潤状態で転写する。
【００１２】
本明細書はまた、布地上に印刷するためのシステムを説明するものであり、このシステムは印刷流体を含有する印刷流体源を含んでおり、この印刷流体は少なくともキャリア流体を含み、そして加熱調節可能な転写ローラーが光イメージングプレートから所定量の印刷流体を受け取って、キャリア流体がまだ印刷流体中存在している間に、その印刷流体を布地へと転写する。
【００１３】
本明細書はさらに、加熱装置を含んでいる転写ローラーを説明するものであり、ここで転写ローラーは所定量の印刷流体を光イメージングプレート（ＰＩＰ）から受け取り、そしてその印刷流体を布地へと転写する一方で、印刷流体内のキャリア流体が蒸発することを防止する。
【００１４】
本明細書および添付の特許請求の範囲において使用するところでは、用語「湿潤印刷流体」は、あるレベルのキャリア流体を含有し、かくして布地の繊維内へと吸収されてよい印刷流体として理解されることを意図している。
【００１５】
以下の詳細な説明においては、説明上の目的で、本システムおよび方法の完全な理解を提供するため、数多くの具体的な詳細事項が記載される。しかしながら、本装置、システム、および方法は、そうした具体的な詳細事項なしに実施されてよいことが、当業者には明らかであろう。明細書中における「例」または類似の用語に対する参照は、その例に関して記載された具体的な特徴、構成、または特性が記載通りに含まれていること、しかし他の例には含まれていてもよく、含まれていなくともよいことを意味している。
【００１６】
さて添付図面を参照すると、図１は本願に記載された原理の例に従う、液体電子写真（ＬＥＰ）印刷装置（１００）のブロック図である。このＬＥＰ印刷装置（１００）は少なくとも、液状印刷流体を受け取る光イメージングプレート（ＰＩＰ）（１０５）およびＰＩＰ（１０５）からの液体を布地基材（１１５）へと転写する転写ローラー（１１０）を含んでいてよい。
【００１７】
ＬＥＰ印刷装置（１００）はさらに、ＰＩＰ（１０５）および転写ローラー（１１０）に加えて、多数の印刷流体現像器、ＰＩＰ（１０５）上に潜像を形成するための帯電装置、およびローラーを含んでいてよい。動作の間に、印刷流体の供給源が多数の印刷流体現像器に与えられる。印刷流体現像器は、印刷流体をＰＩＰ（１０５）の表面に提供する。ＰＩＰ（１０５）は前もって帯電装置によって帯電されており、ＰＩＰ（１０５）上に潜像が形成される。印刷流体は多数の帯電粒子を含んでいるから、ＰＩＰ（１０５）上に形成された帯電部分は、帯電粒子をそこに引き付け、それによって潜像をＰＩＰ（１０５）上の印刷流体イメージへと変化させる。このことは、ＰＩＰ（１０５）上に形成されるイメージの一部として異なる色を含んでいてよい、印刷流体現像器のそれぞれについて行われてよい。ＰＩＰ（１０５）は、ＰＩＰ（１０５）上に生成されたイメージを転写ローラー（１１０）に転写してよい。転写ローラー（１１０）は次いで、圧胴ローラーの助けを借りて印刷流体を転写し、基材上にイメージを形成する。
【００１８】
動作の間に、紙基材上にイメージを印刷するため、転写ローラー（１１０）は加熱される。この場合、転写ローラー（１１０）は１００℃から１５０℃の範囲の温度に加熱される。これは、イソパラフィン系炭化水素のようなキャリア液体を蒸発させるために行われる。この方法は紙について有効であるが、その理由は、キャリア液体の蒸発が印刷流体を粘着性のものとし、そして紙のような比較的冷たい基材の表面にくっつくようにするからである。しかしながら、この方法は布地基材（１１５）については有効でない。むしろ、キャリア流体がない場合には、粘着性の印刷流体は布地の上部に置かれたままになる。布地が使用されまたはその他により取り扱われるに際し、印刷流体は剥落または剥離して、イメージのゆがみや、印刷製品に対する不満を生じうる。
【００１９】
これを是正するために、転写ローラー（１１０）は１００℃から１５０℃に加熱されるのではなく、代わりに単に７０℃から９５℃へと加熱される。この例において、キャリア流体またはキャリア流体の少なくとも大部分は残され、比較的湿潤状態で布地に適用される。この比較的より湿潤状態の印刷流体は布地の繊維内へと浸透してよく、それによって枚葉紙給紙式および連続紙給紙式のＬＥＰ印刷装置（１００）上で、直接にテキスタイル印刷を行うことが可能となる。１つの例では、印刷流体を布地または他のテキスタイル基材へと転写する前に、０から１０パーセントのキャリア流体が転写ローラー（１１０）上で蒸発される。幾つかの例においては、印刷流体中のキャリア流体の量は、いろいろの特徴の中でも、布地の多孔度、布地の材料の種類、および布地の吸収性といった、布地の特徴に基づいて変更されてよい。
【００２０】
ある例においては、ＬＥＰ印刷装置（１００）は、印刷を行う基材の種類に基づいて、転写ローラー（１１０）の温度を調節してよい。従って、ユーザーが印刷を行う印刷基材の種類（すなわち、紙基材の一般的な種類、紙基材の特定の種類、布地基材（１１５）の一般的な種類、および／または布地基材（１１５）の特定の種類）を示すことができ、そして転写ローラー（１１０）の温度が印刷基材のその種類に適合するよう自動的に設定されうるように、ユーザーはＬＥＰ印刷装置（１００）とインタフェース（相互作用）してよい。布地基材（１１５）の場合には、ＬＥＰ印刷装置（１００）はさらに、布地基材（１１５）内に最適なイメージを生成するため、加熱された転写ローラー（１１０）によって蒸発されないキャリア流体の量を調節しうるように、ユーザーが印刷を行う布地基材（１１５）の異なる種類を選択することを許容してよい。
【００２１】
ＬＥＰ印刷装置（１００）は、ある例においては、他の周辺装置およびデバイスを含んでいてよい。ある例においては、ＬＥＰ印刷装置（１００）は少なくとも、印刷ジョブを記述しているデータを受け取り、その印刷ジョブを実行するためのプロセッサを含んでいてよい。ある例においては、ＬＥＰ印刷装置（１００）は少なくとも、本願に記載するＬＥＰ印刷装置（１００）の機能性を成立させるために、印刷ジョブならびにプロセッサによって実行される他のコンピュータ使用可能なプログラムコードを記述しているデータを保持するための、データ記憶装置を含んでいてよい。
【００２２】
ある例においては、ＬＥＰ印刷装置（１００）は、ＬＥＰ印刷装置（１００）によって実行される多数の印刷ジョブを少なくとも提供し保持する、コンピューティング装置と通信可能に結合されていてよい。電子デバイスの例には、数ある電子デバイスの中でも特に、サーバー、デスクトップコンピューター、ラップトップコンピューター、携帯情報端末（ＰＤＡ）、モバイル端末、スマートフォン、ゲームシステム、およびタブレットが含まれる。
【００２３】
ＬＥＰ印刷装置（１００）は、スタンドアロン型ハードウェア、モバイル用途、コンピューティングネットワーク経由、またはこれらの組み合わせを含む、任意のデータ処理の文脈において使用されてよい。また、ＬＥＰ印刷装置（１００）は、コンピューティングネットワーク、パブリッククラウドネイティブ、プライベートクラウドネットワーク、ハイブリッドクラウドネットワーク、他の形態のネットワーク、またはこれらの組み合わせにおいて使用されてよい。１つの例では、ＬＥＰ印刷装置（１００）によって提供される方法は、例えば第三者により、ネットワーク上のサービスとして提供される。この例においては、サービスは例えば、ネットワーク経由の印刷サービスを含んでいてよい。
【００２４】
所望とする機能性を達成するために、ＬＥＰ印刷装置（１００）および／またはＬＥＰ印刷装置（１００）に関連付けられたコンピューティングデバイスは、種々のハードウェア部品を含んでいる。そうしたハードウェア部品の中には、多数のプロセッサ、多数のデータ記憶装置、多数の周辺機器アダプター、および多数のネットワークアダプターがあってよい。これらのハードウェア部品は、多数のバスおよび／またはネットワーク接続の使用を通じて、相互接続してよい。１つの例では、プロセッサ、データ記憶装置、周辺機器アダプター、およびネットワークアダプターは、バスを経由して通信可能に結合されてよい。
【００２５】
プロセッサは、データ記憶装置から実行可能なコードを読み出し、そして実行可能なコードを実行するための、ハードウェアアーキテクチャを含んでいてよい。実行可能なコードは、プロセッサによって実行された場合に、プロセッサが少なくとも、本願に記載の本明細書の方法に従って、転写ローラー（１１０）についての所定の温度を使用して布地基材（１１５）上に印刷を行うよう、ＬＥＰ印刷装置（１００）に指示する機能性を実施するようにさせてよい。コードを実行する過程において、プロセッサは残りの多数のハードウェアユニットから入力を受け取り、またそれらに出力を提供してよい。
【００２６】
ＬＥＰ印刷装置（１００）内またはＬＥＰ印刷装置（１００）と通信可能に結合されたコンピューティング装置のいずれかに配置されたデータ記憶装置は、プロセッサまたは他の処理装置によって実行される、実行可能なプログラムコードのようなデータを記憶していてよい。データ記憶装置は、少なくとも本願に記載の機能性を実施するために、プロセッサが実行する多数のアプリケーションを表すコンピュータコードを特定的に記憶していてよい。
【００２７】
データ記憶装置は、揮発性メモリおよび不揮発性メモリを含む、様々な種類のメモリモジュールを含んでいてよい。例えば、この例のデータ記憶装置には、ランダムアクセスメモリ（ＲＡＭ）、リードオンリーメモリ（ＲＯＭ）、およびハードディスクドライブ（ＨＤＤ）メモリが含まれる。多くの他の種類のメモリもまた使用されてよく、そして本明細書は、本願に記載の原理の特定の用例に適するように、データ記憶装置において多くの様々な種類（単数または複数）のメモリを使用することを考慮している。特定の例においては、データ記憶装置中の異なる種類のメモリを、異なるデータ記憶のニーズに対して使用してよい。例えば、特定の例において、プロセッサはリードオンリーメモリ（ＲＯＭ）からブートされてよく、ハードディスクドライブ（ＨＤＤ）メモリに不揮発性記憶を保持してよく、そしてランダムアクセスメモリ（ＲＡＭ）に記憶されたプログラムコードを実行してよい。
【００２８】
一般に、データ記憶装置は、特に、コンピュータ可読媒体、コンピュータ可読記憶媒体、または非一時的なコンピュータ可読媒体を含んでいてよい。例えば、データ記憶装置は、限定されるものではないが、電子的、磁気的、光学的、電磁的、赤外的、または半導体的なシステム、装置、またはデバイス、またはこれらの任意の適切な組み合わせであってよい。コンピュータ可読記憶媒体のより特定的な例には、例えば以下のものが含まれてよい：多数のワイヤを有する電気的接続、可搬性のコンピュータディスケット、ハードディスク、ランダムアクセスメモリ（ＲＡＭ）、リードオンリーメモリ（ＲＯＭ）、消去可能なプログラマブルリードオンリーメモリ（ＥＰＲＯＭまたはフラッシュメモリ）、可搬性コンパクトディスクリードオンリーメモリ（ＣＤ−ＲＯＭ）、光学的記憶デバイス、磁気的記憶デバイス、またはこれらの任意の適切な組み合わせ。この文書の文脈においては、コンピュータ可読記憶媒体は、命令実行システム、装置、またはデバイスによって、またはそれと関連して使用するための、コンピュータで使用可能なプログラムコードを格納または記憶することのできる、任意の有形な媒体であってよい。別の例においては、コンピュータ可読記憶媒体は、命令実行システム、装置、またはデバイスによって、またはそれと関連して使用するためのプログラムを格納または記憶することのできる、任意の非一時的な媒体であってよい。
【００２９】
ＬＥＰ印刷装置（１００）および／またはＬＥＰ印刷装置（１００）と通信可能に結合されたコンピューティング装置にあるハードウェアアダプターは、プロセッサが、ＬＥＰ印刷装置（１００）および／またはＬＥＰ印刷装置（１００）と通信可能に結合されたコンピューティング装置の内部および外部の種々の他のハードウェア要素とインタフェースすることを可能にする。例えば、周辺機器アダプターは、例えばディスプレイ装置、マウス、またはキーボードといった入力／出力デバイスに対するインタフェースを提供してよい。周辺機器アダプターはまた、外部記憶装置のような他の外部デバイス、例えばサーバー、スイッチおよびルーター、クライアントデバイス、他の種類のコンピューティング装置、およびこれらの組み合わせといった、多数のネットワークデバイスに対するアクセスを提供してよい。
【００３０】
ディスプレイ装置は、ＬＥＰ印刷装置（１００）のユーザーが、布地基材（１１５）上への印刷を行う機能性と相互作用し、実施することを許容するように提供されてよい。周辺機器アダプターはまた、プロセッサと、ディスプレイ装置、プリンター、または他の基材出力装置との間にインタフェースを生成してよい。ネットワークアダプターは、例えばネットワーク内部において他のコンピューティング装置に対するインタフェースを提供してよく、それによってＬＥＰ印刷装置（１００）とネットワーク内に位置する他のデバイスとの間でのデータ伝送を可能にする。
【００３１】
ＬＥＰ印刷装置（１００）は、それ自体がディスプレイ装置を含んでいてよい。ディスプレイ装置はプロセッサによって実行された場合に、データ記憶装置に記憶された多数のアプリケーションを表す実行可能なプログラムコードに関連して、ディスプレイ装置上に多数のグラフィカルユーザーインタフェース（ＧＵＩ）を表示する。ＧＵＩは例えば、印刷のための基材選択肢のような、印刷オプションを表示してよい。加えて、ディスプレイ装置のＧＵＩ上でいくつもの対話的ジェスチャーを行うことを介して、ユーザーは印刷オプションまたは選好を選択してよく、そしてそうした選択された印刷オプションまたは選好に従って、ＬＥＰ印刷装置（１００）が布地基材（１１５）上に印刷を行うようにしてよい。ディスプレイ装置の例には、数あるディスプレイ装置の中でも、コンピュータの画面、ラップトップの画面、モバイル端末の画面、携帯情報端末（ＰＤＡ）の画面、およびタブレットの画面が含まれる。
【００３２】
ある例においては、ＬＥＰ印刷装置（１００）はさらに、所定量の印刷された布地基材（１１５）を蓄積する、少なくとも１つのアキュムレータを含んでいてよい。アキュムレータは、印刷された布地基材（１１５）をアキュムレータ内に蓄積する前に加熱および／または乾燥する、加熱および／または他の乾燥装置を含んでいてよい。加熱および／または乾燥装置の例には、数ある他の印刷流体乾燥または加熱装置の中でも、赤外線放出装置、電磁熱源、加熱ランプ、エアナイフが含まれていてよい。アキュムレータは、布地基材（１１５）の印刷可能な側を反転させてそれを２つのＬＥＰ印刷装置（１００）の２番目へと送出する前に、その中に所定量の布地基材（１１５）を蓄積するために、２つの別個のＬＥＰ印刷装置（１００）の間に置かれていてよい。
【００３３】
ある例においては、転写ローラー（１１０）は印刷流体を７０℃から９５℃の間の温度に加熱してよい。ある例においては、転写ローラー（１１０）は印刷流体を９５℃の温度に加熱してよい。これらの例においては、任意の種類の加熱装置を転写ローラー（１１０）に関して使用してよい。ある例においては、加熱装置は転写ローラー（１１０）の内側にあってよく、転写ローラー（１１０）の外側にあってよく、またはこれらの組み合わせであってよい。しかしながら、本願において記載するように、ＬＥＰ印刷装置（１００）は布地基材（１１５）上に印刷を行うものであるから、温度は低減されてよい。
【００３４】
図２は本願に記載された原理の例に従う、布地（２３０）上に印刷を行うためのシステム（２００）のブロック図である。システム（２００）は、印刷流体（２１０）を含有する印刷流体源（２０５）、少なくともキャリア流体（２１５）を含有する印刷流体（２１０）、および所定量の印刷流体（２１０）を光イメージングプレートＰＩＰ（２２０）から受け取り、そしてキャリア流体（２１５）がまだ印刷流体（２１０）中に存在している間にその印刷流体（２１０）を布地（２３０）へと転写するための、加熱調節可能な転写ローラー（２２５）を含んでいてよい。上述したように、このシステム（２００）は、幾つかの例においては、多数の印刷流体現像器、およびシステム（２００）を通る布地（２３０）の移動を容易にすると共に加熱調節可能な転写ローラー（２２５）およびＰＩＰ（２２０）のような他のローラーと相互作用する他のローラーをさらに含んでいる。
【００３５】
ここでも、ある例においては、システム（２００）はさらに、所定量の布地を内部に蓄積するために使用されるアキュムレータを含んでいてよい。ある例においては、アキュムレータはさらに、システム（２００）によって行われる印刷プロセスから湿潤状態とされた、布地を加熱するための熱源を含んでいる。実際のところ、加熱調節可能な転写ローラー（２２５）は７０℃から９５℃の辺りの温度に加熱されるから、殆ど全部のキャリア流体（２１５）が、布地（２３０）に適用された印刷流体（２１０）中に残存する。アキュムレータ内部の加熱装置は印刷流体（２１０）中のキャリア流体（２１５）を乾燥させ、印刷流体（２１０）の残りの部分が布地（２３０）の繊維内部に浸透して残存することを許容する。この場合にも、アキュムレータはまた多数のローラーを含んでいてよく、それらは布地（２３０）を他の側に反転させて、アキュムレータの下流側にあるシステム（２００）上で印刷されるようにする。
【００３６】
本願に記載の印刷流体（２１０）は多数の異なる成分を含んでいてよく、その１つは本願で記載するキャリア流体（２１５）である。幾つかの例においては、印刷流体（２１０）はさらに、樹脂中に取り込まれた顔料および電荷コンダクタを含んでいてよい。印刷流体（２１０）は布地（２３０）に印刷され、その中に残存しているキャリア流体（２１５）で湿潤されており、そして少なくとも、樹脂中に取り込まれた顔料が布地（２３０）の繊維内へと染み込むことを許容する。印刷流体（２１０）がアキュムレータにある熱源によって乾燥された場合、キャリア流体（２１５）は蒸発によって除去され、少なくとも顔料および樹脂が、布地（２３０）の繊維内部に浸透されて残存される。その結果として、本願に記載の印刷プロセスによって画定されるイメージは、布地（２３０）から剥落または剥離することはない。
【００３７】
図３は、本願に記載された原理の例に従う、転写ローラー（３００）のブロック図である。転写ローラー（３００）は、湿潤印刷流体（３１５）を布地（３１０）に適用する前に転写ローラー（３００）を加熱するための、少なくとも１つの加熱装置（３０５）を含んでいてよい。本願に記載するように、湿潤印刷流体（３１５）はその中に、元々のキャリア流体のかなりの部分を含んでいる。湿潤印刷流体（３１５）中に残存しているキャリア流体のこの割合が、布地（３１０）の繊維内へと湿潤印刷流体（３１５）が吸収され、またはその他によって取り込まれることを許容する。転写ローラー（３００）の温度は加熱装置（３０５）によって７０℃から９５℃の間に維持されてよく、キャリア流体の蒸発される割合が０から１０パーセントを超えることを防止する。
【００３８】
図４は、本願に記載された原理の例に従う、液体電子写真（ＬＥＰ）印刷装置（４００）のダイヤグラムである。上述したように、図４は、ＰＩＰ（４０７）の周囲に配向された多数の印刷流体現像器（４０５）のレイアウトを示している。印刷流体現像器（４０５）の各々は、ＰＩＰ（４０７）の周囲に異なる配向をされていてよく、各々の印刷流体現像器（４０５）の向きは垂直から水平まで変化してよい。
【００３９】
印刷流体現像器（４０５）に関して説明した他の要素と共に、システム（４００）はさらに、ＰＩＰ（４０７）、帯電装置（４１０）、光イメージング装置（４１５）、転写ローラー（４２０）、圧胴（５２５）、放電装置（５３０）、およびクリーニングステーション（４３５）を含んでいてよい。印刷流体現像器（４０５）はＰＩＰ（４０７）に隣接して配置され、シアン、マゼンタ、イエロー、ブラック、およびその他といった、種々の色に対応していてよい。帯電装置（４１０）は静電電荷を、ＰＩＰ（４０７）の外側表面のような光導電性の表面に印加する。レーザーのような光イメージング装置（４１５）は、ＰＩＰ（４０７）上の選択された領域を、所望とする印刷イメージのパターンでもって露光し、露光されたＰＩＰ（４０７）の選択された領域上の電荷を消散させる。
【００４０】
例えば、ＰＩＰ（４０７）上の放電された領域は、印刷されるイメージに対応する静電イメージを形成する。印刷流体の薄い層が、その上に潜像が形成されるようにパターンを有するＰＩＰ（４０７）に対して、種々の印刷流体現像器（４０５）を使用して適用される。印刷流体はＰＩＰ（４０７）の放電された領域に対して、ＰＩＰ（４０７）上の印刷流体の層として付着され、そして静電潜像をトナーイメージへと現像し、このトナーイメージは光導電性部材（５０５）から転写ローラー（４２０）へと転写される。次いで、トナーイメージは、布地（４４０）が転写ローラー（４２０）と圧胴（４２５）の間に形成された圧胴ニップ（４４５）を通って搬送されるに際して、転写ローラー（４２０）から布地（４４０）へと転写される。放電装置（４３０）は残存する電荷を光導電性部材（４０７）から取り除く。クリーニングステーション（４３５）は、新たなイメージを現像しまたは次のトナー色プレーンを適用するのに備えて、トナー残渣を除去する。
【００４１】
また転写ローラー（４２０）を７０℃から９５℃の間に加熱するために、加熱要素（４５０）を転写ローラー（４２０）と関連させてもよい。上述したように、このレベルの加熱は印刷流体内のキャリア流体の大部分の蒸発を生じさせるものではなく、印刷流体が布地（４４０）へと湿潤状態で適用されるようにする。このことは印刷流体が布地（４４０）の繊維内へと浸透するようにし、それによって乾燥後にイメージが布地（４４０）に残存するようにする。
【００４２】
本願では本システムおよび方法の側面について、本願に記載の原理の例に従う方法、装置（システム）およびコンピュータプログラム製品の流れ図の説明および／またはブロック図を参照して説明している。流れ図の説明およびブロック図の各々のブロック、および流れ図の説明およびブロック図のブロックの組み合わせは、コンピュータで利用可能なプログラムコードによって実施されてよい。コンピュータで利用可能なプログラムコードは、汎用コンピュータ、専用コンピュータ、またはマシンを生成する他のプログラム可能なデータ処理装置のプロセッサに提供されて、コンピュータで利用可能なプログラムコードが、例えばＬＥＰ印刷装置または他のプログラム可能なデータ処理装置のプロセッサを介して実行された場合に、流れ図および／または  ブロック図の１つのブロックまたは複数のブロックに特定された機能または動作を実施するようにしてよい。１つの例では、コンピュータで利用可能なプログラムコードは、コンピュータ可読記憶媒体中に実施（具体化）されていてよく；このコンピュータ可読記憶媒体は、コンピュータプログラム製品の一部である。１つの例では、コンピュータ可読記憶媒体は、非一時的なコンピュータ可読媒体である。
【００４３】
明細書および図面では、約７０℃から９５℃に加熱される転写ローラーを使用して、布地基材上にイメージを印刷するＬＥＰ印刷装置を説明した。この低減された温度は、印刷流体中にある所定量のキャリア流体の蒸発を減少させ、印刷流体が、そして特に印刷流体中の顔料が、布地基材の繊維内へと浸透することを許容する。このことは、続いて乾燥される印刷流体が、布地基材から剥落または剥離することを低減または排除する。加えて、転写ローラーの温度の低減および／または増大は、ＬＥＰを紙基材または布地基材について選択的に使用することを可能にする。加えて、印刷流体が布地の繊維内へと浸透されることから、イメージが布地基材の表面上で硬化することはなく、布地における相対的により大きな可撓性が得られる。さらに、本願に記載のプロセスおよび装置は、布地基材へとイメージを固定するための事前転写媒体の使用を排除し、それによってコストが削減される。
【００４４】
以上の説明は、記載した原理の例を説明および記述するために提示されている。この説明は徹底的であることを意図したものではなく、またこれらの原理を開示された任意の特定の形態に限定することを意図したものでもない。上記の教示に照らして、多くの修正および変形が可能である。
【図１】
2020529043.tif 000003
【図２】
2020529043.tif 000004
【図３】
2020529043.tif 000005
【図４】
2020529043.tif 000006
【国際調査報告】
2020529043.tif 000007